(57)【要約】【課題】  先端にチップを有するセットスクリューの改良を図る。【解決手段】  セットスクリュー１００は、ねじ部１２０を有する本体１１０を備え、本体１１０の後端にはレンチ用の六角穴を有する。本体１１０の先端は、テーパー部１４０を有し、有底穴１５０が形成される。有底穴１５０に挿入されるチップ１６０は、環状溝１６２を有し、テーパー部１４０の先端にカシメ加工によりカシメ部Ｋ１を形成し、チップ１６０を確実に固着する。【選択図】        図２
2005201309.tif 000002
【特許請求の範囲】
【請求項１】
外周部にねじ部を有する本体と、本体の後端部に設けられる六角穴と、本体の先端部に形成される先細りのテーパー部と、先端部に設けられる有底穴と、有底穴に挿入されるチップとを備え、
本体のテーパー部の先端にカシメ加工によりカシメ部を形成することによりチップは本体に固着されるセットスクリュー。
【請求項２】
チップは、カシメ部に対応する外周部に環状溝を備える請求項１記載のセットスクリュー。
【請求項３】
チップは、本体の有底穴に挿入される大径部と、カシメ部に対応するテーパー部と、テーパー部に連続する小径部を備える請求項１記載のセットスクリュー。
【請求項４】
チップは、黄銅等の軟質金属又は樹脂で製作される請求項２又は３記載のセットスクリュー。
【発明の詳細な説明】
【技術分野】
【０００１】
本発明は、シャフト等の雄ねじ部に螺合させた部材の廻り止めを図るセットスクリューに関する。
【背景技術】
【０００２】
図４は、セットスクリューの使用例を示す説明図である。
回転シャフト１の先端部には、雄ねじ部２が形成してある。
プーリー３は、ボス部５に雌ねじ部４を有し、シャフト１の雄ねじ部２にプーリーの雌ねじ部４を螺合してプーリー３をシャフト１に固定する。プーリー３はボス部５に小径のねじ穴６を有し、このねじ穴６にセットスクリュー１０をねじ込んで雄ねじ部４を押し、螺合状態を固定して、シャフト１に対してプーリー３を安定して固着する。
【０００３】
図５は、従来のセットスクリューを示すもので、セットスクリュー１０は、ねじ部１２を有し、一方の端部に六角穴１４が設けてある。他方の端部には穴１６が形成され、チップ１８が差し込んだ構成を備える。チップ１８は、軟質の金属や樹脂等でつくられる。
このセットスクリュー１０をプーリー３のねじ穴６にねじ込み、レンチを六角穴１６に係合して、所定のトルクをかける。先端のチップ１８は、シャフト１の雄ねじ部４にくい込んでセットスクリュー１０は固定される。
この種のセットスクリューは、下記の特許文献１に開示されている。
【０００４】
図６は、従来のセットスクリューの他の例を示すもので、セットスクリュー２０はねじ部２２を有し、一方の端部に六角穴２４が設けてある。他方の端部には、半球状の穴２６が形成され、ボール２８が挿入されている。
この種のセットスクリュー２０は、下記の特許文献２に開示されている。
【特許文献１】特開２０００−３５０２４号公報
【特許文献２】特開平７−２１７６１６号公報
【発明の開示】
【発明が解決しようとする課題】
【０００５】
図５に示す従来のセットスクリューにあっては、先端のチップを固定する手段を必要とし、特許文献１に示されるような手段や、接着剤でセットスクリューに固着することが必要となる。
また、チップの脱落を確実に防止することは困難である。
【０００６】
また、図６に示す従来のセットスクリューにあっては、ボールを保持する手段を必要とし、ボールの脱落を確実に防止することは困難である。
本発明の目的は、上述した不具合を解消するセットスクリューを提供するものである。
【課題を解決するための手段】
【０００７】
上記目的を達成するために、本発明のセットスクリューは、外周部にねじ部を有する本体と、本体の後端部に設けられる六角穴と、本体の先端部に形成される先細りのテーパー部と、先端部に設けられる有底穴と、有底穴に挿入されるチップとを備え、本体のテーパー部の先端にカシメ加工によりカシメ部を形成することによりチップは本体に固着される手段を備える。
【０００８】
そして、チップは、カシメ部に対応する外周部に環状溝又はテーパー部を備え、黄銅等の軟質金属又は樹脂で製作されるものである。
【発明の効果】
【０００９】
本発明のセットスクリューは、チップの脱落はなく、再度の使用が可能なものである。
【発明を実施するための最良の形態】
【００１０】
図１は、本発明のセットスクリューの全体構造を示す斜視図、図２は半載にして示す斜視図である。
全体を符号１００で示すセットスクリューは、外周部に雄ねじ部１２０が形成された円柱状の本体１１０を有する。本体１１０の後端部には、レンチ用の六角穴１３０が設けられている。
【００１１】
本体１１０の先端部は、先細りのテーパー部１４０に形成されており、中心に有底穴１５０が設けてある。
この有底穴１５０に挿入されるチップ１６０は、円柱形状を有し、外周部にＶ字形の環状溝１６２が形成してある。このチップ１６０は、黄銅等の軟質金属や樹脂で製作される。
【００１２】
チップ１６０の外径部と有底穴１５０の内径部との間には、間隙Ｇ１が設けてあり、チップ１６０は有底穴１５０内で回動することができる。
このチップ１６０を本体１１０の有底穴１５０に挿入した後に、本体１１０の先端のテーパー部１４０にカシメ加工を施して、カシメ部Ｋ１を形成する。この加工により、カシメ部Ｋ１の内側は、チップ１６０の環状溝１６２に係合し、チップ１６０の脱落は確実に防止される。
【００１３】
このセットスクリュー１００を、図４に示すねじ穴６に螺合すると、軟質材製のチップ１６０の先端面１６４が相手側のねじ部に当接し、更にセットスクリューをねじ込むと、軟質のチップ１６０の先端面１６４が相手側のねじ山にくい込む。
この際に、チップ１６０は本体１１０の有底穴１５０内で回動できるので、相手のねじ山を損傷させることはない。
【００１４】
また、カシメ部Ｋ１とチップ１６０の環状溝１６２の間には、ある程度の間隙が設けられるので、チップ１６０の後端面１６６を有底穴１５０の底面に当接し、本体１１０のねじ部１２０の推力Ｆ１を軸線に沿って確実に伝達することができる。
この作用によって、チップ１６０の倒れが防止され、セットスクリューの機能を確実に達成することができる。
【００１５】
図３は、本発明の他の実施例を示す断面斜視図である。
本実施例にあっては、チップ２６０は本体１１０の有底穴１５０に挿入される大径部と、テーパー部２６２を介して先端側の小径部とを有する構造を備える。
このチップ２６０も、テーパー部２６２を用いてカシメ部Ｋ１で本体１１０に固着されることは前述した実施例と同様である。
【００１６】
本発明のセットスクリュー１００によれば、チップ１６０は確実に本体１１０に保持される。そこで、再度の使用に際しても、チップの脱落は発生せず、資材の有効利用を図ることができる。
【図面の簡単な説明】
【００１７】
【図１】本発明のセットスクリューを示す斜視図。
【図２】本発明のセットスクリューを半載にして示す斜視図。
【図３】本発明のセットスクリューの他の実施例を半載にして示す斜視図。
【図４】セットスクリューの適用例を示す説明図。
【図５】従来のセットスクリューを示す説明図。
【図６】従来のセットスクリューを示す説明図。
【符号の説明】
【００１８】
１００  セットスクリュー
１１０  本体
１２０  ねじ部
１３０  六角穴
１４０  テーパー部
１５０  有底穴
１６０  チップ
１６２  環状溝
Ｋ１  カシメ部
【図１】
2005201309.tif 000003
【図２】
2005201309.tif 000004
【図３】
2005201309.tif 000005
【図４】
2005201309.tif 000006
【図５】
2005201309.tif 000007
【図６】
2005201309.tif 000008